(57)【要約】      （修正有）【課題】絵文字を使用した表現豊かな電子メール本文を容易に作成する。【解決手段】ユーザが入力を行う操作部２０１と、画像から成る絵文字を記憶する記憶部２３と、前記操作部に入力された文字列を表示する表示部１０１と、外部機器との接続を行う外部接続部２２とを備えた携帯端末装置であって、前記外部接続部に接続されるキーボードから第１の文字列の入力と第１の文字列の入力に連続する所定の操作を行った際に前記記憶部に記憶された絵文字を第１の文字列の変換候補として前記表示部に表示することを実現できる。【選択図】図３
2010026909.tif 000002
【特許請求の範囲】
【請求項１】
ユーザが入力を行う操作部と、
画像から成る絵文字を記憶する記憶部と、
前記操作部に入力された文字列を表示する表示部と、
外部機器との接続を行う外部接続部とを備えた携帯端末装置であって、
前記外部接続部に接続されるキーボードから第１の文字列の入力と第１の文字列の入力に連続する所定の操作を行った際に前記記憶部に記憶された絵文字を第１の文字列の変換候補として前記表示部に表示することを特徴とする携帯端末装置。
【請求項２】
前記所定の操作は第１の文字列の入力に連続する第２の文字列の入力による操作からなり、第２の文字列が所定の文字列の場合には第１の文字列の変換候補の先頭から絵文字を配したことを特徴とする請求項１に記載の携帯端末装置。
【請求項３】
前記所定の操作によって第１の文字列と絵文字との関連付け情報を前記記憶部に記憶し、関連付けられた絵文字を関連付けられていない絵文字よりも変換候補の上位に配置ことを特徴とする請求項２に記載の携帯端末装置。
【請求項４】
第１の文字列と絵文字と関連付けがあった場合に変換候補を同一画面上に表示し、関連付けがない場合には変換候補を表示するための指示メニューを同一画面上に表示したことを特徴とする請求項３に記載の携帯端末装置。
【請求項５】
請求項１乃至４のいずれか１項に記載の携帯端末装置の各構成としてコンピュータを機能させるプログラム。
【発明の詳細な説明】
【技術分野】
【０００１】
本発明は、絵文字を含む電子メール送信できる携帯端末装置及びプログラムに関する。
【背景技術】
【０００２】
携帯電話機等の携帯端末装置は電子メール本文を入力して送信する機能を有している。このとき、電子メール本文としては文字入力の他に絵文字入力を行うことができる。これにより、電子メール本文に利用される文章に絵文字を含むことで表現豊かな電子メール本文が実現できる。
【０００３】
特許文献１には外部接続可能なキーボードと携帯電話機に関する装置が開示されている。この装置により文字入力スペースが限られた携帯端末装置において、キーボードを使用することで文字入力の操作回数を減らすことができる。
【０００４】
【特許文献１】特開２００３−０１８２５３号公報
【特許文献２】特開２００３−０３７６６５号公報
【特許文献３】特開２００６−２１７５５７号公報
【発明の開示】
【発明が解決しようとする課題】
【０００５】
特許文献１に開示される装置によると、携帯電話機本体の操作部に比べると文字入力の入力回数は減る。しかしながら、文字入力の操作回数は減るものの、携帯電話機の絵文字機能が使用できない。そのため、絵文字を使用した表現豊かな電子メール本文を作成する場合には、従来通り携帯電話機の操作部から絵文字を入力しなければならず、利便性が悪い問題があった。
【０００６】
本発明は、利便性を向上できる携帯端末装置及びプログラムを提供することを目的とする。
【課題を解決するための手段】
【０００７】
上記目的を達成するために本発明は、ユーザが入力を行う操作部と、画像から成る絵文字を記憶する記憶部と前記操作部に入力された文字列を表示する表示部と、外部機器との接続を行う外部接続部とを備えた携帯端末装置であって、前記外部接続部に接続されるキーボードから第１の文字列の入力と第１の文字列の入力に連続する所定の操作を行った際に前記記憶部に記憶された絵文字を第１の文字列の変換候補として前記表示部に表示することを特徴とする携帯端末装置が提供される。
【０００８】
この構成によると、携帯端末装置の操作部に接続されたキーボードから第１の文字列の入力と第１の文字列の入力に連続する所定の操作、例えばキーボードの変換キーやファンクションキーを押下すると、絵文字を第１の文字列の変換候補として前記表示部に表示される。これにより、外部接続部から接続されたキーボードから絵文字が入力できる。そのため、携帯電話の操作部から絵文字の変換操作をする必要なく絵文字の入力ができ、電子メール本文に利用される文章に絵文字を簡単に利用することができる。よって表現豊かな電子メール本文が簡単に実現できる。即ち、利便性を向上できる携帯端末装置を提供することができる。
【０００９】
また本発明は、上記構成の携帯端末装置において、前記所定の操作は第１の文字列の入力に連続する第２の文字列の入力による操作からなり、第２の文字列が所定の文字列の場合には第１の文字列の変換候補の先頭から絵文字を配したことを特徴とする。この構成によると、キーボードのファンクションキーを用いなくても、第２の文字列が所定の文字列の場合には絵文字を第１の文字列の変換候補として前記表示部に表示する。これにファンクションキーの無いキーボードからでも、キーボードから絵文字入力ができる。また変換候補の先頭から絵文字を配することになり、利便性が向上できる。
【００１０】
また本発明は、上記構成の携帯端末装置において、前記所定の操作によって第１の文字列と絵文字との関連付け情報を前記記憶部に記憶し、関連付けられた絵文字を関連付けられていない絵文字よりも変換候補の上位に配置ことを特徴とする。この構成によると、絵文字を第１の文字列の変換候補として前記表示部に表示した場合には第１の文字列と絵文字とを前記記憶部に関連付けて記憶される。これにより、変換候補を上位に配置することができる。そして、電子メール本文に利用される文章に絵文字を簡単に利用することができ、表現豊かな電子メール本文が簡単に実現できる。
【００１１】
また本発明は、上記構成の携帯端末装置において、第１の文字列と絵文字と関連付けがあった場合に変換候補を同一画面上に表示し、関連付けがない場合には変換候補を表示するための指示メニューを同一画面上に表示したことを特徴とする。この構成によると第１の文字列と絵文字と関連付けがあった場合に変換候補を同一画面上に表示し、関連付けがない場合には変換候補を表示するための指示メニューを同一画面上に表示する。これにより、関連付けられた情報を活用するとともに、関連付けられた情報がない場合であっても、ユーザが絵文字との関連付けを容易にすることができる。そのため、次回から記憶したデータを利用することができ、電子メール本文に利用される文章に絵文字を簡単に利用することができ、表現豊かな電子メール本文が簡単に実現できる。
【００１２】
また本発明は、上記構成の携帯端末装置の各構成としてコンピュータを機能させるプログラムである。コンピュータプログラムには無体物としての流通性があり、当該プログラムを他の装置で容易に動作できる。このため、当該プログラムを利用することで、電子メール本文に利用される文章に絵文字を簡単に利用することができ、表現豊かな電子メール本文が簡単に実現できる装置を実現できる。
【発明の効果】
【００１３】
本発明によると、利便性を向上できる携帯端末装置及びプログラムを提供することができる。
【発明を実施するための最良の形態】
【００１４】
本発明の実施形態について図面を参照して説明する。
【００１５】
図１は本発明の第１の実施形態による携帯電話機１の筐体を展開した状態を示し、図２は筐体を折り畳んだ状態を示す外観図である。この携帯電話機１はいわゆる折り畳み式の携帯電話機であり、本体を構成する表示筐体１００、操作筐体２００、ヒンジ部３００を有している。表示筐体１００及び操作筐体２００は長方形状に形成され、ヒンジ部３００を介して連結されている。これにより表示筐体１００及び操作筐体２００の筐体面を対向させた状態で折り畳むことができるようになっている。
【００１６】
表示筐体１００には折り畳んだ状態で操作筐体２００に対向する内面に第一表示部１０１及び受話用レシーバ１０３が形成される。表示筐体１００の外面には第２表示部１０２及びカメラ１０４が設けられている。表示筐体１００の端部には通信用アンテナ２１が設けられている。第１、２表示部１０１、１０２はそれぞれ液晶表示パネルにより形成されている。受話用レシーバ１０３は表示筐体１００におけるヒンジ部３００と反対側の端部に配置され、通話時に相手方電話機からの音声を出力する。カメラ１０４は被写体を撮像するための撮像手段である。通信用アンテナ２１は基地局と通信するために用いられる。
【００１７】
操作筐体２００には折り畳んだ状態で表示筐体１００に対向する内面に操作部２０１及び送話用マイクロホン２０２が設けられている。操作部２０１は決定キー２０３、十字キー２０４、オンフックキー２０５、オフフックキー２０６、ガイドキー２０７等を有している。決定キー２０３は携帯電話の起動時において主に決定動作をする。十字キー２０４は携帯電話機１の起動時において主に項目選択をする。またオンフックキー２０５は携帯電話機１の起動時において主に終話動作や終了処理を実行する。さらにオフフックキー２０６は携帯電話機１の起動時において主に発信動作を実行する。ガイドキー２０７は動作状況によって種々の機能が割り当てられる。送話用マイクロホン２０２は操作筐体２００におけるヒンジ部３００と反対側の端部に配置され、通話時にユーザの音声が入力される。
【００１８】
図３は本発明の携帯電話機１の内部構造を表す機能ブロック図である。
【００１９】
この携帯電話機１はプロセッサからなるとともに各部を制御する制御部１０を備える。制御部１０によりそれぞれ制御可能な通信部２０、外部接続部２２、記憶部２３、電源部２６、第一表示部１０１、第二表示部１０２、操作部２０１、送話用マイクロホン２０２、受話用レシーバ１０１、カメラ１０４が接続される。
【００２０】
通信部２０は通信用アンテナ２１を介して基地局との間で電波を送受信する。相手方電話機との間で通話を行う際には、まず相手方電話機との間で通信状態が確立する。そして、送話用マイクロホン２０２から入力されるユーザの音声信号が通信部２０から送信される。また、相手方電話機からの音声信号が通信部２０で受信され、その音声信号に基づく音声が受話用レシーバ１０３から出力される。また、通信部２０は基地局を介して文章データを送受信することにより、相手方電話機との間で電子メールの送受信を行うことができる。
【００２１】
外部接続部２２は外部のキーボード２１５と接続する。外部のキーボード２１５との接続は無線の接続であってもよい。その他、外部接続部２２は外部機器からの音声や画像等のデータ入出力を行う。
【００２２】
記憶部２３は内部メモリ２４と外部メモリ２５によって構成され、携帯電話機１を制御するプログラムや各種設定情報を記憶する。内部メモリ２４は携帯電話機１の本体内に固定されたＲＡＭ又はＲＯＭからなる。一方、外部メモリ２５はＳＤ(Secure Digital)カードなどのメモリーカードからなり、携帯電話機１の本体に対して着脱可能に構成されている。
【００２３】
記憶部２３には図１４に示すように絵文字一覧が記憶部２３に記憶されている。また、絵文字に対応して図１８に示すような絵文字と第１の文字列と変換候補挿入順位が対応している表を記憶部２３に記憶されている。左の列は絵文字であり、真中の列は絵文字に対する第１の文字列が対応している。右の列は変換候補の順位である。この変換候補の挿入順位によって、絵文字の変換候補の順位が決定される。上記以外にも登録日時等が記憶されている。このように第１の文字列に対して遠い意味の絵文字は変換挿入の順位が低くなるように記憶されている。図１８に示すように変換候補の挿入の順位は設定によってＯＮ又はＯＦＦが可能である。
【００２４】
電源部２６は携帯電話機１を構成する各部を駆動させるための電力の供給や、電池の充電などを行う。
【００２５】
携帯電話機１の操作部２０１から電子メール本文に絵文字を入力することは可能である。しかし本願発明は外部接続部からキーボード２１５を接続し、キーボード２１５から入力することに特徴がある。そこで、図４は上記構成の携帯電話機１において、外部接続部から接続されたキーボード２１５を用いて、実行されるプログラムの動作を示すフローチャートである。
【００２６】
ステップＳ１では図５に示すように外部接続部２２からキーボード２１５が接続されているか判断される。外部接続部２２からの接続は図４に示すように無線であってもよいし、有線であってもよい（不図示）。キーボード２１５が接続されていない場合にはフローチャートの処理を終了する。キーボード２１５が接続されている場合にはステップＳ２へ移行する。
【００２７】
ステップＳ２では携帯電話機１に操作部２０１から文字が入力される。
【００２８】
ステップＳ３ではステップＳ２で入力された文字に対して変換操作がされるか判定される。変換操作が行われず引き続き文字の入力が行われる場合にはステップＳ２へ移行する。変換操作が行われる場合にはステップＳ４へ移行する。本実施形態では図６に示すように文字として「は」と「れ」が入力され、これが第１の文字列として「はれ」となる。この文字列について変換操作が行われる。
【００２９】
本実施形態において変換操作としてはキーボード２１５から第１の文字列の入力後に変換キーを押下する場合、キーボード２１５のファンクションキーを押下する場合、「えもじ」又は「。」と第２の文字列を入力してスペースキー等を押下して変換する場合がある。
【００３０】
ステップＳ４では第１の文字列が絵文字変換対象となるか否かを判定する。前記操作によって、制御部１０により「はれ」という第１の文字列が絵文字変換対象であるか判定する。第１の文字列が絵文字変換対象となる場合にはステップＳ５へ移行する。第１の文字列が絵文字変換対象とならない場合にはステップＳ６へ移行する。
【００３１】
ステップＳ５では、変換候補の絵文字を表示する。第１の文字列が「はれ」の場合であって、キーボード２１５の変換キーやファンクションキーを押下する。そうすると、制御部１０から通常の文字変換と同時に記憶部に保存された絵文字変換の候補も同時に参照する。そして、図７に示すように変換候補の絵文字が５番目以降に表示される。通常の文字列の変換候補のみならず、絵文字の変換候補も表示するため、処理に時間がかかる。従って、携帯電話機１の設定によって絵文字変換候補が出るか否かの選択が可能である。
【００３２】
また、第１の文字列が「はれ」の場合であって、連続する第２の文字列として「えもじ」とキーボード２１５から入力し、変換キーを押下する。そうすると、制御部１０から通常の文字変換と同時に記憶部に保存された絵文字も同時に参照する。そして、図８に示すように変換候補の絵文字が先頭に表示される。
【００３３】
また、第１の文字列が「はれ」の場合であって、連続する第２の文字列として「。」とキーボード２１５から入力し、変換キーを押下する。そうすると、制御部１０から通常の文字変換と同時に記憶部に保存された絵文字も同時に参照する。そして、図９に示すように変換候補の絵文字が先頭に表示される。
【００３４】
キーボード２１５に付属するファンクションキーによっても変換候補として絵文字を表示することは可能である。しかしながら、キーボードによってはファンクションキーが無い装置も存在する。このように第２の文字列によって変換候補を表示することによって全てのキーボードで対応することが可能である。さらに、第１の文字列の入力後に変換キーやファンクションキーを押下して変換候補の絵文字を出す場合と、第２の文字列の入力によって変換候補の絵文字を出す場合と変換候補の順位が異なり、ユーザが所望する形で選択できる。これにより、利便性の向上できる携帯電話機１を提供することが可能である。
【００３５】
ステップＳ６では第１の文字列が絵文字の変換対象ではないため、従来通りの文字による変換候補が表示される。但し、本実施形態では図１１に示すように変換候補の最後に絵文字変換リストを表示する指示メニューがある。ここで指示メニュー「＊絵文字⇔」を選択すると、図１２に示すように絵文字で構成された変換候補４０２が表示される。絵文字で構成された変換候補４０２には記憶部２３に記憶されている。絵文字で構成された変換候補４０２は記憶部２３に記憶された図１４に示すような絵文字一覧の先頭から所定の個数を表示部１０１に表示している。
【００３６】
ステップＳ７では、ステップＳ５又はステップＳ６によって第１の文字列及び変換候補として表示し選択された絵文字を関連付けた情報として記憶部２３に記憶される。本実施形態において、図１０に示すように第１の文字列が「はれ」の場合に、絵文字の変換候補である太陽の絵文字を選択し決定されている。また、図１３に示すように第１の文字列「あいう」に対して雲の絵文字が選択し決定されている。本実施形態においては第１の文字列に置換して絵文字が挿入されたが、第１の文字列に隣接する形で絵文字が挿入されてもよい。このステップにおいて、第１の文字列と絵文字が関連付けられて記憶部２３に記憶される。
【００３７】
ステップＳ８では、決定された変換候補が絵文字であるか否かが判断される。絵文字の場合にはステップＳ９へ移行する。絵文字ではなく文字列の場合にはステップＳ１０へ移行する。
【００３８】
ステップＳ９では、第１の文字列と関連付けられた絵文字が、関連付けられていない絵文字よりも変換候補の上位に表示される。本実施形態において図１５に示すように第１の文字列を「はれ」と太陽の絵文字が関連付けられ、雲の絵文字は関連付けられていない。そうすると、第１の文字列に「はれ」が入力されると、雲の絵文字よりも変換候補の上位に配置される。絵文字との関連付けによって変換候補の表示順位を変えることにより、利便性の高い携帯電話機１を提供することができる。
【００３９】
さらに図１８に示すような絵文字と第１の文字列の関連付けを行っても良い。図１５においては関連付けられると変換候補を最初に表示したが、第１の文字列と変換した絵文字次第では変換候補の挿入順位を変えてもよい。このように絵文字と第１の文字列の意味が近い程、変換候補挿入順位を上位にすることで、利便性の高い携帯電話機１を提供することができる。
【００４０】
ステップＳ１０では、第１の文字列と関連付けられた文字列、関連付けられていない文字列よりも変換候補の上位に表示される。図１６に示すように第１の文字列として「くも」が「クモリ」と関連付けられると、図１７に示すように第１の文字列として「くも」が入力されると変換候補として「クモリ」が最初に来る。
【００４１】
第１実施形態において、移動通信端末は携帯電話機に搭載されるが、本発明はこれに限られず、ＰＨＳやコードレス電話機等の他の装置に搭載してもよい。またキーボードの変換キーやファンクションキーをスペースキーとして代用してもよい。
【産業上の利用可能性】
【００４２】
本発明によると携帯電話機、ＰＨＳ、コードレス電話機等の携帯端末装置に利用することができる。
【図面の簡単な説明】
【００４３】
【図１】本発明の実施形態の携帯電話機の構成図
【図２】本発明の実施形態の携帯電話機の構成図
【図３】本発明の実施形態の携帯電話機の構成を表す機能ブロック図
【図４】本発明の実施形態の携帯電話機の動作を示すフローチャート
【図５】本発明の実施形態の携帯電話機の構成図
【図６】本発明の実施形態の携帯電話機の表示部の一例を示す図
【図７】本発明の実施形態の携帯電話機の表示部の一例を示す図
【図８】本発明の実施形態の携帯電話機の表示部の一例を示す図
【図９】本発明の実施形態の携帯電話機の表示部の一例を示す図
【図１０】本発明の実施形態の携帯電話機の表示部の一例を示す図
【図１１】本発明の実施形態の携帯電話機の表示部の一例を示す図
【図１２】本発明の実施形態の携帯電話機の表示部の一例を示す図
【図１３】本発明の実施形態の携帯電話機の表示部の一例を示す図
【図１４】本発明の実施形態の携帯電話機に記憶された絵文字の一例を示す図
【図１５】本発明の実施形態の携帯電話機の表示部の一例を示す図
【図１６】本発明の実施形態の携帯電話機の表示部の一例を示す図
【図１７】本発明の実施形態の携帯電話機の表示部の一例を示す図
【図１８】本発明の実施形態の携帯電話機に記憶された絵文字の一例を示す図
【符号の説明】
【００４４】
１      携帯電話機
１０    制御部
２０    通信部
２２    外部接続部
２３    記憶部
２６    電源部
１０１  第１表示部
１０２  第２表示部
１０３  受話用レシーバ
１０４  カメラ
２０１  操作部
２０２  送話用マイクロホン
【図１】
2010026909.tif 000003
【図２】
2010026909.tif 000004
【図３】
2010026909.tif 000005
【図４】
2010026909.tif 000006
【図５】
2010026909.tif 000007
【図６】
2010026909.tif 000008
【図７】
2010026909.tif 000009
【図８】
2010026909.tif 000010
【図９】
2010026909.tif 000011
【図１０】
2010026909.tif 000012
【図１１】
2010026909.tif 000013
【図１２】
2010026909.tif 000014
【図１３】
2010026909.tif 000015
【図１５】
2010026909.tif 000016
【図１６】
2010026909.tif 000017
【図１７】
2010026909.tif 000018
【図１４】
2010026909.tif 000019
【図１８】
2010026909.tif 000020